(57)【要約】【課題】浴槽が壁体および扉で囲繞されており、外壁板の施工が容易な浴室ユニットを提供する。【解決手段】浴室ユニット１００は、湯を溜める浴槽１と、浴槽１を囲繞するように浴槽１の周縁部１０に配設された壁体６１ａ、６１ｂおよび６１ｃ、並びに扉２と、扉２を嵌める枠部４とを備える。枠部４は、浴槽１の周縁部１０の下方から上方に亘って延びる左縦枠４ａおよび右縦枠４ｂを有する。【選択図】図１
2018188836.tif 000002
【特許請求の範囲】
【請求項１】
湯を溜める浴槽と、前記浴槽を囲繞するように前記浴槽の周縁部に配設された壁体および扉と、前記扉を嵌める枠部と、を備える浴室ユニットにおいて、
前記枠部は、前記周縁部の下方から上方に亘って延びる左縦枠および右縦枠を有することを特徴とする浴室ユニット。
【請求項２】
前記周縁部の下方、かつ前記左縦枠および前記右縦枠の間に、着脱可能なエプロン部が設けられていることを特徴とする請求項１に記載の浴室ユニット。
【請求項３】
前記左縦枠および前記右縦枠は、設置する床まで延びており、
前記枠部は、前記左縦枠および前記右縦枠の下端部を連結する下端枠を有することを特徴とする請求項１または２に記載の浴室ユニット。
【発明の詳細な説明】
【技術分野】
【０００１】
本発明は、浴室ユニットに関する。
【背景技術】
【０００２】
近年では、専らシャワー装置から吐出される湯水を浴び、浴槽に溜めた湯に浸かることなく入浴を行う生活様式が見られるようになってきた。このような生活様式に合わせて、シャワー装置から吐出された湯水を受ける防水パンと、該防水パンを囲繞するように配設された壁部とを備えるコンパクトな浴室ユニットが考案されている。
【０００３】
例えば、特許文献１には、入浴可能な深さに湯を溜めることができる深型の防水パンを有し、防水パンの周縁部に配設された壁部もしくは天井部にシャワー装置を設けた浴室ユニットが開示されている。防水パンは、内部に湯を落とし込むための給湯手段を有しており、湯を溜めるための浴槽として機能する。浴室ユニットは、正面に出入口を設けて扉を開閉自在に取り付けてある。
【先行技術文献】
【特許文献】
【０００４】
【特許文献１】実開平０３−０２９０８８号公報
【発明の概要】
【発明が解決しようとする課題】
【０００５】
特許文献１に記載の浴室ユニットは、室内にどのように設置されるかについて記述が見られないものの、設置する際に室内側の化粧板となる外壁板の施工が容易となるよう配慮する必要がある。とくに浴室ユニットの扉部分における枠部周囲の外壁板は、枠部の形状や構成に拠っては、施工に手間がかかってしまうという問題点があった。
【０００６】
本発明は、斯かる事情に鑑みてなされたものであり、その目的とするところは、浴槽が壁体および扉で囲繞されており、外壁板の施工が容易な浴室ユニットを提供することにある。
【課題を解決するための手段】
【０００７】
本発明に係る浴室ユニットは、湯を溜める浴槽と、前記浴槽を囲繞するように前記浴槽の周縁部に配設された壁体および扉と、前記扉を嵌める枠部と、を備える浴室ユニットにおいて、前記枠部は、前記周縁部の下方から上方に亘って延びる左縦枠および右縦枠を有することを特徴とする。
【発明の効果】
【０００８】
本発明によれば、浴室ユニットは、浴槽が壁体および扉で囲繞されており、外壁板の施工が容易となる。
【図面の簡単な説明】
【０００９】
【図１】本発明の実施形態に係る浴室ユニットの外観を示す斜視図である。
【図２】本発明の実施形態に係る浴室ユニットの正面図である。
【図３】図２に示すＡ−Ａ線による浴室ユニットの断面図である。
【図４】図４（ａ）は図３における左縦枠部分の拡大図であり、図４（ｂ）は図３における右縦枠部分の拡大図である。
【図５】図２に示すＢ−Ｂ線による浴室ユニットの断面図である。
【図６】図６（ａ）は図５における左縦枠部分の拡大図であり、図６（ｂ）は図５における右縦枠部分の拡大図である。
【図７】図２に示すＣ−Ｃ線による浴室ユニットの断面図である。
【図８】変形例に係る浴室ユニットにおける図２のＡ−Ａ線による断面に相当する断面図である。
【図９】図９（ａ）は図８における左縦枠部分の拡大図であり、図９（ｂ）は図８における右縦枠部分の拡大図である。
【図１０】変形例に係る浴室ユニットにおける図２のＢ−Ｂ線による断面に相当する断面図である。
【図１１】図１１（ａ）は図１０における左縦枠部分の拡大図であり、図１１（ｂ）は図１０における右縦枠部分の拡大図である。
【発明を実施するための形態】
【００１０】
以下、本発明を好適な実施の形態をもとに図１から図１１を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態）
図１は本発明の実施形態に係る浴室ユニット１００の外観を示す斜視図、図２は本発明の実施形態に係る浴室ユニット１００の正面図である。浴室ユニット１００は、浴槽１、扉２、枠部４、壁部６１およびエプロン部７等を備える。浴槽１は、平面視矩形状をなし、湯を溜めることができる深皿状であり、底部１１に排水口１２を有する。浴槽１は、周縁部１０に配設された壁部６１および扉２によって周囲が覆われて囲繞されており、上方を天井６２によって覆われている。
【００１２】
浴槽１は、直方体状のフレーム構造体である架台８０の上部に周縁部１０が支持されており、該架台８０の内側に収容される。架台８０は、下部の四隅等に脚部８０ａを有し、脚部８０ａによって室内の床１１１に載置されている。尚、浴室ユニット１００は、浴槽１の上方の壁部６１に配設されるシャワー装置および吐水装置等を備えるが、これらの装置については図示を省略する。
【００１３】
壁部６１は、浴槽１の長手方向に沿う一側に配設された壁体６１ａ、浴槽１の長手方向の両端部であって壁体６１ａの両側に配設される壁体６１ｂおよび６１ｃで構成されている。扉２は、浴槽１の長手方向に沿う他側に配設されており、壁体６１ａに対向する。扉２は、引き違い戸であり、内障子２ａおよび外障子２ｂともスライドさせることにより開閉することができる。扉２は、浴槽１の周縁部１０および天井６２の間に設けられており、枠部４内に嵌め込まれている。
【００１４】
内障子２ａは、長方形状に組み立てられた戸先框２１、戸尻框２２、下框２３および上框２４の内側にガラス製または樹脂製等の板２０を嵌め込んで構成されている。また、外障子２ｂは、長方形状に組み立てられた戸先框３１、戸尻框３２、下框３３および上框３４の内側にガラス製または樹脂製等の板３０を嵌め込んで構成されている。
【００１５】
枠部４は、左縦枠４ａ、右縦枠４ｂ、下枠４ｃ、上枠４ｄおよび下端枠４ｅを備え、浴槽１の長手方向に沿う他側に配設されている。左縦枠４ａおよび右縦枠４ｂは、浴槽１の隅部に配設されており、浴槽１の周縁部１０の下方から上方に亘って直線状に延びている。左縦枠４ａおよび右縦枠４ｂの下端部は、浴室ユニット１００を載置する床１１１に接触または若干の隙間が空く程度に床１１１に近接している。左縦枠４ａおよび右縦枠４ｂは、上端側が、ほぼ天井６２の高さ位置まで延びている。下枠４ｃは、浴槽１の周縁部１０上に添うように、左縦枠４ａおよび右縦枠４ｂ間に設けられている。上枠４ｄは、左縦枠４ａおよび右縦枠４ｂの上端部に連結されている。また、下端枠４ｅは、左縦枠４ａおよび右縦枠４ｂの下端部に連結されている。
【００１６】
エプロン部７は、左縦枠４ａ、右縦枠４ｂ、下枠４ｃおよび下端枠４ｅで囲まれる領域に着脱可能に嵌め込まれており、扉２側の浴槽１の側部を遮蔽する。エプロン部７を取り外すことで、浴槽１の側方から浴槽１裏の排水部の点検および修理等を行うことができる。尚、浴室ユニット１００は、浴槽１の側方に洗い場床が設けられておらず、浴槽１内で入浴が行われるものである。
【００１７】
図３は、図２に示すＡ−Ａ線による浴室ユニット１００の断面図である。図３には、浴室ユニット１００に加えて、浴室ユニット１００を室内に設置する際に室内側の化粧板として施工される外壁板１０１等、および外壁板を取り付ける角材９１等も表す。左縦枠４ａの外側に上下方向に延びる角材９１を設け、角材９１の表側に外壁板１０１が取り付けられている。左縦枠４ａ側の壁体６１ｂに添って上下方向に延びる複数の角材９２を設け、角材９２の表側に外壁板１０２が取り付けられている。外壁板１０１および外壁板１０２の表面には壁紙等が貼り付けられる。
【００１８】
また、右縦枠４ｂの外側に上下方向に延びる角材９３を設ける。角材９３は、室内の建築側壁面１１０に当接している。角材９３の表側に外壁板１０３が取り付けられている。浴室ユニット１００は、建築側壁面１１０に添って設けられた上下方向に延びる複数の角材９４に、壁体６１ｂ側の側面が接触するように設置されている。建築側壁面１１０における扉２の外側には、建築側壁面１１０に添って上下方向に延びる角材９５を設け、角材９５の表側に外壁板１０４が取り付けられている。外壁板１０３および外壁板１０４の表面には壁紙等が貼り付けられる。
【００１９】
図４（ａ）は図３における左縦枠４ａ部分の拡大図であり、図４（ｂ）は図３における右縦枠４ｂ部分の拡大図である。左縦枠４ａは、内側左縦枠４１、外側左縦枠４２およびアングルピース部４３を有する。内側左縦枠４１は、角筒状をなし、浴槽１の周縁部１０の上方に重なるように配設されており、周縁部１０の隅部に設けられる上下方向の支柱８１に固定されている。支柱８１には、壁体６１ｂも固定されている。内側左縦枠４１は、浴槽１の周縁部１０から天井６２に亘って形成されている。
【００２０】
外側左縦枠４２は、角筒状をなし、内側左縦枠４１に見込み方向に連続して形成されており、浴槽１の周縁部１０の外側に配設されている。外側左縦枠４２は、左縦枠４ａの全長に亘って形成されている。アングルピース部４３は、外側左縦枠４２に連続し、外側左縦枠４２の外側に見込み方向に突き出すように設けられている。アングルピース部４３は、外側左縦枠４２と同様に左縦枠４ａの全長に亘って形成されている。
【００２１】
同様に、右縦枠４ｂは、内側右縦枠４６、外側右縦枠４７およびアングルピース部４８を有する。内側右縦枠４６は、角筒状をなし、浴槽１の周縁部１０の上方に重なるように配設されており、周縁部１０の隅部に設けられる上下方向の支柱８１に固定されている。支柱８１には、壁体６１ｃも固定されている。内側右縦枠４６は、浴槽１の周縁部１０から天井６２に亘って形成されている。
【００２２】
外側右縦枠４７は、角筒状をなし、内側右縦枠４６に見込み方向に連続して形成されており、浴槽１の周縁部１０の外側に配設されている。外側右縦枠４７は、右縦枠４ｂの全長に亘って形成されている。アングルピース部４８は、外側右縦枠４７に連続し、外側右縦枠４７の外側に見込み方向に突き出すように設けられている。アングルピース部４８は、外側右縦枠４７と同様に右縦枠４ｂの全長に亘って形成されている。
【００２３】
図５は、図２に示すＢ−Ｂ線による浴室ユニット１００の断面図である。図５には、浴室ユニット１００に加えて、浴室ユニット１００を室内に設置する際に室内側の化粧板として施工される外壁板１０１等、および外壁板を取り付ける角材９１等も表す。図５は、浴槽１の周縁部１０より下側における水平断面を表している。角材９１は、左縦枠４ａの外側に当接し、表側に外壁板１０１が取り付けられている。上下方向に延びる複数の角材９２の表側に外壁板１０２が取り付けられている。また角材９３は、室内の建築側壁面１１０に当接するとともに、右縦枠４ｂの外側に当接し、表側に外壁板１０３が取り付けられている。
【００２４】
図６（ａ）は図５における左縦枠４ａ部分の拡大図であり、図６（ｂ）は図５における右縦枠４ｂ部分の拡大図である。左縦枠４ａは、浴槽１の周縁部１０より下側においては内側左縦枠４１の部分が切除されており、外側左縦枠４２およびアングルピース部４３で構成されている。
【００２５】
同様に、右縦枠４ｂは、浴槽１の周縁部１０より下側においては内側右縦枠４６の部分が切除されており、外側右縦枠４７およびアングルピース部４８で構成されている。左縦枠４ａおよび右縦枠４ｂの間の領域には、エプロン部７が着脱可能に取り付けられている。
【００２６】
図７は、図２に示すＣ−Ｃ線による浴室ユニット１００の断面図である。浴室ユニット１００は、室内の床１１１上に載置される。浴槽１の下方には、排水口１２に連結される排水部１３が床との間の空間に設けられている。下端枠４ｅは、床１１１に接触、または若干の隙間が空く程度に床１１１に近接している。エプロン部７は、下枠４ｃおよび下端枠４ｅの間の領域に取り付けられている。
【００２７】
上枠４ｄには、見込み方向において浴室ユニット１００の外側に突き出すようにアングルピース部５３が形成されている。アングルピース部５３は、上枠４ｄの全長に亘って形成されている。浴室ユニット１００の上部において、室内側の化粧板として施工される外壁板１０５は、アングルピース部５３に当接するように取り付けられる。
【００２８】
次に、浴室ユニット１００の作用について説明する。上述のとおり、扉２は引き違い戸であり、内障子２ａおよび外障子２ｂの両方を開閉することができる（図１参照）。ユーザは、内障子２ａを開状態とすることにより、壁体６１ｂ側から浴室ユニット１００の内部へ進入することができ、また浴室ユニット１００の外部から浴室ユニット１００の内部の各種装置に手を伸ばして操作することができる。
【００２９】
ユーザは、外障子２ｂを開状態とすることにより、壁体６１ｃ側から浴室ユニット１００の内部へ進入することができ、また浴室ユニット１００の外部から浴室ユニット１００の内部の各種装置に手を伸ばして操作することができる。例えば、ユーザは、外障子２ｂを開状態とすることにより、排水口１２に設けられる排水栓（図示略）の開閉などの操作を行うことができる。
【００３０】
扉２は枠部４に嵌め込まれている。枠部４は、浴槽１の周縁部１０の下方から上方に亘って直線状に延びる左縦枠４ａおよび右縦枠４ｂを有する。左縦枠４ａおよび右縦枠４ｂの下端部は、浴室ユニット１００を載置する床１１１（図２参照）に接触または若干の隙間が空く程度に床１１１に近接している。図４（ａ）を参照し、浴室ユニット１００を室内の床１１１に設置する際、作業者は浴室ユニット１００の室内側の化粧板として外壁板１０１を左縦枠４ａの外側に取り付ける。また図４（ｂ）を参照し、作業者は浴室ユニット１００の室内側の化粧板として外壁板１０３を右縦枠４ｂの外側に取り付ける。
【００３１】
外壁板１０１および外壁板１０３は、細長い直角形状、即ち短冊状に切り出せば良い。作業者は、左縦枠４ａ側において、短冊状の外壁板１０１を角材９１の表面に当接させ、アングルピース部４３に外壁板１０１の側辺部を添うように配設するという簡単な作業によって取り付けることができ、外壁板１０１の施工が容易となる。また作業者は、右縦枠４ｂ側において、短冊状の外壁板１０３を角材９３の表面に当接させ、アングルピース部４８に外壁板１０３の側辺部を突き合わせるという簡単な作業によって取り付けることができ、外壁板１０３の施工が容易となる。
【００３２】
左縦枠４ａおよび右縦枠４ｂの下端部は、浴室ユニット１００を載置する床１１１に接触または若干の隙間が空く程度に床１１１に近接しており、下端部間を下端枠４ｅによって連結している。扉２の下方であって、左縦枠４ａ、右縦枠４ｂ、下枠４ｃおよび下端枠４ｅで囲まれる領域には、エプロン部７が着脱可能に設けられている。作業者は、エプロン部７を取り外すことによって浴槽１の下方に設けられる排水部１３の点検または修理等の作業を行うことができる。
【００３３】
また下端枠４ｅを床１１１に接触または若干の隙間が空く程度に床１１１に近接するように設けることで、下端枠４ｅの床１１１側の隙間が無くなり、枠部４の下方側に外壁板を設ける必要がなくなり、外壁板の施工が容易となる。
【００３４】
外壁板１０２は、直角形状に切り出し、浴室ユニット１００の壁体６１ｂ側の外部に設ける化粧板となるが、複数の角材９２の表側に添うように取り付ければよい。同様に、外壁板１０４も直角形状に切り出し、建築側壁面１１０に設けられた角材９５の表側に添うように取り付ければよい。
【００３５】
上枠４ｄは、見込み方向において浴室ユニット１００の外側に突き出すようにアングルピース部５３が形成されている。浴室ユニット１００の上部において、室内側の化粧板として施工される外壁板１０５は、短冊状に切り出し、アングルピース部５３に当接するように取り付けることができるので、外壁板１０５の施工が容易となる。
【００３６】
次に、実施形態の浴室ユニット１００の特徴を説明する。
本発明の実施形態に係る浴室ユニット１００は、湯を溜める浴槽１と、浴槽１を囲繞するように浴槽１の周縁部１０に配設された壁体６１ａ、６１ｂおよび６１ｃ、並びに扉２と、扉２を嵌める枠部４とを備える。枠部４は、浴槽１の周縁部１０の下方から上方に亘って延びる左縦枠４ａおよび右縦枠４ｂを有する。これによって、浴室ユニット１００は、左縦枠４ａおよび右縦枠４ｂに外壁板１０１の側辺部を添うように配設するという簡単な作業によって、外壁板１０１および外壁板１０３を取り付けることができ、外壁板の施工が容易となる。
【００３７】
また浴室ユニット１００は、浴槽１の周縁部１０の下方、かつ左縦枠４ａおよび右縦枠４ｂの間に、着脱可能なエプロン部７が設けられている。これにより、浴室ユニット１００は、エプロン部７によって、浴槽１の周縁部１０の下方を遮蔽することができる。浴室ユニット１００は、エプロン部７を取り外すことによって、浴槽１の下方に設けられる排水部１３の点検および修理等を行うことができる。
【００３８】
また左縦枠４ａおよび右縦枠４ｂは、設置する床１１１まで延びている。枠部４は、左縦枠４ａおよび右縦枠４ｂの下端部を連結する下端枠４ｅを有する。これにより、浴室ユニット１００は、下端枠４ｅが床１１１に接触または若干の隙間が空く程度に床１１１に近接し、枠部４の下方側に外壁板を設ける必要がなくなるので、外壁板の施工が容易となる。
【００３９】
（変形例）
図８は、変形例に係る浴室ユニット１００における図２のＡ−Ａ線による断面に相当する断面図である。変形例に係る浴室ユニット１００は、枠部４に額縁部９６が設けられている。左縦枠４ａ側において、額縁部９６の外側に上下方向に延びる角材９１を設け、角材９１の表側に外壁板１０１が取り付けられている。外壁板１０２は、上述の実施形態と同様に取り付けられている。また、右縦枠４ｂ側において、額縁部９６の外側に上下方向に延びる角材９３を設ける。角材９３は、室内の建築側壁面１１０に当接している。角材９３の表側に外壁板１０３が取り付けられている。
【００４０】
図９（ａ）は図８における左縦枠４ａ部分の拡大図であり、図９（ｂ）は図８おける右縦枠４ｂ部分の拡大図である。左縦枠４ａは、上述の実施形態と同様に内側左縦枠４１、外側左縦枠４２およびアングルピース部４３を有する。額縁部９６は、左縦枠４ａの見込み方向における外側に、アングルピース部４３に接続されるようにして形成されている。額縁部９６は、外側左縦枠４２およびアングルピース部４３に添って、床１１１から天井６２まで延びる。
【００４１】
同様に右縦枠４ｂは、内側右縦枠４６、外側右縦枠４７およびアングルピース部４８を有する。額縁部９６は、右縦枠４ｂの見込み方向における外側に、アングルピース部４８に接続されるようにして形成されている。額縁部９６は、外側右縦枠４７およびアングルピース部４８に添って、床１１１から天井６２まで延びる。
【００４２】
図１０は、変形例に係る浴室ユニット１００における図２のＢ−Ｂ線による断面に相当する断面図である。図１０は、浴槽１の周縁部１０より下側における水平断面を表している。左縦枠４ａ側において、額縁部９６の外側に上下方向に延びる角材９１を設け、角材９１の表側に外壁板１０１が取り付けられている。右縦枠４ｂ側において、額縁部９６の外側に上下方向に延びる角材９３が設けられており、角材９３の表側に外壁板１０３が取り付けられている。
【００４３】
図１１（ａ）は図１０における左縦枠４ａ部分の拡大図であり、図１１（ｂ）は図１０における右縦枠４ｂ部分の拡大図である。左縦枠４ａは、浴槽１の周縁部１０より下側においては内側左縦枠４１の部分が切除されており、外側左縦枠４２およびアングルピース部４３で構成されている。額縁部９６は、床１１１から天井６２に亘って延びる外側左縦枠４２およびアングルピース部４３に添うようにして形成すればよく、容易に施工することができる。
【００４４】
同様に、右縦枠４ｂは、浴槽１の周縁部１０より下側においては内側右縦枠４６の部分が切除されており、外側右縦枠４７およびアングルピース部４８で構成されている。額縁部９６は、床１１１から天井６２に亘って延びる外側右縦枠４７およびアングルピース部４８に添うようにして形成すればよく、容易に施工することができる。
【００４５】
上述の実施形態および変形例においては、扉２として引き違い戸の例を示したが、扉２は引き戸、折れ戸および開き戸等であってもよい。また、下端枠４ｅは、床１１１に接触または近接している例に加え、やや床面から離間して配設し、下端枠４ｅと床１１１との間に外壁板を取り付ける構成としてもよい。また、枠部４は、扉２の縦および横の寸法に応じた大きさとしてもよい。上述の実施形態および変形例において、左縦枠４ａおよび右縦枠４ｂは、上端側がほぼ天井６２の高さ位置まで延びている例を示したが、扉２の縦方向の寸法に応じた長さ寸法で浴槽１の周縁部１０から上方に延びていればよく、天井６２の高さ位置まで延びていなくてもよい。同様に、下枠４ｃ、上枠４ｄおよび下端枠４ｅは、扉２の横方向の寸法に応じた長さ寸法とすれば良い。下枠４ｃは、浴槽１の周縁部１０において両端部間の全体に亘って延びる他、両端部間より狭く部分的に設けられていても良く、上枠４ｄおよび下端枠４ｅも下枠４ｃに合わせた寸法とすれば良い。
【００４６】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４７】
１  浴槽、  １０  周縁部、  ２  扉、  ４  枠部、  ４ａ  左縦枠、
４ｂ  右縦枠、  ４ｅ  下端枠、  ６１ａ，６１ｂ，６１ｃ  壁体、
７  エプロン部、  １００  浴室ユニット。
【図１】
2018188836.tif 000003
【図２】
2018188836.tif 000004
【図３】
2018188836.tif 000005
【図４】
2018188836.tif 000006
【図５】
2018188836.tif 000007
【図６】
2018188836.tif 000008
【図７】
2018188836.tif 000009
【図８】
2018188836.tif 000010
【図９】
2018188836.tif 000011
【図１０】
2018188836.tif 000012
【図１１】
2018188836.tif 000013